(57)【要約】【課題】使用時において組み立てて立体的な箱としたとき、四方の蓋フラップが全て外方に裏返って各前壁、右側壁、後壁、左側壁の外面に沿った状態となるようにする。【解決手段】左側壁２、後壁３、右側壁４、前壁５を折目線を介して横方向に連成し、これら左側壁２、後壁３、右側壁４、前壁５の夫々の上縁と下縁に折目線を介して蓋フラップ１７、１８、１９、２０と底フラップ２１、２２、２３、２４とを連成し、更に前壁５の側縁に折目線を介して貼着片２６を連成すると共に該貼着片２６の上縁に折目線を介して前壁２の上縁に連成した蓋フラップ２０と平行する延長部２８を設け、該貼着片の延長部２８と前壁５の上縁に連成した蓋フラップ２０との間及び右側壁４の上縁に連成した蓋フラップ１９と後壁３の上縁に連成した蓋フラップ２０との間に、部分的に繋がり、組み立て時において切断することなく、組み立て後において容易に切断可能な連結片部２９、３０を一体的に形成する。【選択図】図１
0003128114.tif 000002
【実用新案登録請求の範囲】
【請求項１】
左側壁、後壁、右側壁、前壁を折目線を介して横方向に連成し、これら左側壁、後壁、右側壁、前壁の夫々の上縁と下縁に折目線を介して蓋フラップと底フラップとを連成し、更に前壁の側縁に折目線を介して貼着片を連成すると共に該貼着片の上縁に折目線を介して前壁の上縁に連成した蓋フラップと平行する延長部を設け、該貼着片の延長部と前壁の上縁に連成した蓋フラップとの間及び右側壁の上縁に連成した蓋フラップと後壁の上縁に連成した蓋フラップとの間に、部分的に繋がり、組み立て時において切断することなく、組み立て後において容易に切断可能な連結片部を一体的に形成してなることを特徴とするダンボール箱。
【請求項２】
連結片部を所要部位の少なくとも一箇所に形成してなる請求項１記載のダンボール箱。
【考案の詳細な説明】
【技術分野】
【０００１】  本考案は、物品の輸送や保管に使用するダンボール箱に関するものである。
【背景技術】
【０００２】  物品の輸送や保管に使用するダンボール箱は、一般的に左側壁、後壁、右側壁、前壁を折目線を介して横方向に連成し、これら左側壁、後壁、右側壁、前壁の夫々の上縁と下縁に折目線を介して蓋フラップと底フラップとを連成し、各左側壁、後壁、右側壁、前壁を夫々折目線で折り曲げた状態において、前壁の側縁に折目線を介して連成した貼着片を左側壁の側縁に貼着することによって箱とするものである。【０００３】  そして、該ダンボール箱は、使用時において組み立てて立体的な箱とするが、このとき四方の蓋フラップが全て立ち上がり、恰も衣服の襟が立った状態となる。このため、開口部の位置が高くなり、また箱の内部が深くなった状態となり、内部に物品を詰め込むときに、作業者は伸び上がって中を覗き込むようにして作業しなければならず、多大な労力と時間を要する。また、物品を一つ詰め込む度に腕や肘が蓋フラップの上縁に擦れる。このため連続して詰め込み作業を行なうと皮膚が擦り剥けたり、炎症を起こしたりして、多大な苦痛を伴う。そして、時として病院で手当を受けなければならない場合もある。よってこの点の改善が切望されていた。
【考案の開示】
【考案が解決しようとする課題】
【０００４】  本考案は上記の点に鑑みなされたものであって、使用時において組み立てて立体的な箱としたとき、四方の蓋フラップが全て外方に裏返って各前壁、右側壁、後壁、左側壁の外面に沿った状態となるようにして、開口部の位置を蓋フラップの高さ分だけ低く、また箱の内部が本来の収容部の深さとなるようになすことができ、もって上記問題点を悉く解消することができるようになしたダンボール箱を提供せんとするものである。
【課題を解決するための手段】
【０００５】  而して、本考案はとするところは、左側壁、後壁、右側壁、前壁を折目線を介して横方向に連成し、これら左側壁、後壁、右側壁、前壁の夫々の上縁と下縁に折目線を介して蓋フラップと底フラップとを連成し、更に前壁の側縁に折目線を介して貼着片を連成すると共に該貼着片の上縁に折目線を介して前壁の上縁に連成した蓋フラップと平行する延長部を設け、該貼着片の延長部と前壁の上縁に連成した蓋フラップとの間及び右側壁の上縁に連成した蓋フラップと後壁の上縁に連成した蓋フラップとの間に、部分的に繋がり、組み立て時おいて切断することなく、組み立て後において容易に切断可能な連結片部を一体的に形成してなることを特徴とするダンボール箱にある。【００１２】  また、上記構成において、連結片部は所要部位の少なくとも一箇所に形成するものであり、連結片部の形態（形状や大きさ）によっては二箇所以上に形成するようにしてもよい。
【考案の効果】
【０００７】  本考案は上記の如き構成であるから、使用時において組み立てて立体的な箱としたとき、四方の蓋フラップが全て外方に裏返って各前壁、右側壁、後壁、左側壁の外面に沿った状態となるものである。したがって、開口部の位置を蓋フラップの高さ分だけ低く、また箱の内部が本来の収容部の深さとなるようになすことができるものである。もって内部に物品を詰め込むときに、作業者は伸び上がって中を覗き込むようにすることなく、楽な姿勢でこれを行なうことができるものである。よって、労力と時間を大幅に軽減することができ、作業を段取りよくスムーズに行なうことができるから作業能率を大幅に向上させることができるものである。また、詰め込み作業をする間蓋フラップは全て外側に完全に裏返っているから、従来の如く腕や肘が蓋フラップの上縁に擦れることがなく、この点についても改善することができるものである。而も、連結片部は一枚のダンボールを所定の展開形状に切断するときに同時に形成されるから、特別な装置や手間は不要である。
【考案を実施するための最良の形態】
【０００８】  本考案を実施するための最良の形態は、左側壁、後壁、右側壁、前壁を折目線を介して横方向に連成し、これら左側壁、後壁、右側壁、前壁の夫々の上縁と下縁に折目線を介して蓋フラップと底フラップとを連成し、更に前壁の側縁に折目線を介して貼着片を連成すると共に該貼着片の上縁に折目線を介して前壁の上縁に連成した蓋フラップと平行する延長部を設け、該貼着片の延長部と前壁の上縁に連成した蓋フラップとの間及び右側壁の上縁に連成した蓋フラップと後壁の上縁に連成した蓋フラップとの間に、部分的に繋がり、組み立て時において切断することなく、組み立て後において容易に切断可能な連結片部を一体的に形成したことにある。
【実施例】
【０００９】  以下、本考案の実施例について説明する。
図１は本考案の使用状態の斜視図、図２は図１中Ａ部分の拡大図、図３は展開図、図４は不使用時の状態の正面図、図５乃至図７は組み立て工程の説明図である。【００１０】  図中、１はダンボール箱であり、一枚のダンボールを所定の展開形状に切断し、両側縁部を接着することによって箱とし、これを使用時に立体的な箱に組み立てるものである。【００１１】  また、該ダンボール箱１は、左側壁２、後壁３、右側壁壁４、前壁５を折目線６、７、８を介して横方向に連成し、これら左側壁２、後壁３、右側壁４、前壁５の夫々の上縁と下縁に折目線９、１０、１１、１２、１３、１４、１５、１６を介して蓋フラップ１７、１８、１９、２０と底フラップ２１、２２、２３、２４とを連成し、更に前壁５の側縁に折目線２５を介して貼着片２６を連成してなるものである。【００１２】  そしてまた、前記貼着片２６の上縁に折目線２７を介して前記前壁５の上縁に連成した蓋フラップ２０と平行する延長部２８を設け、各左側壁、後壁、右側壁、前壁を夫々折目線で折り曲げた状態において、該貼着片２６とその延長部２８を左側壁２とその上縁に連成した蓋フラップ１７の側縁に貼着して箱とするものである。【００１３】  そして、上記構成において、前記貼着片２６の延長部２８と前記前壁５の上縁に連成した蓋フラップ２０との間及び前記右側壁４の上縁に連成した蓋フラップ１９と前記後壁３の上縁に連成した蓋フラップ１８との間に、部分的に繋がり、組み立て時において切断することなく、組み立て後において容易に切断可能な連結片部２９、３０を一体的に形成してなるものである。尚、該連結片部２９、３０は、一枚のダンボールを所定の展開形状に切断するときに同時に形成されるから、特別な装置や手間は不要である。【００１４】  また、該連結片部２９、３０は、本実施例では外端寄りの部分に一箇所形成しているが、その形態（形状や大きさ）によっては二箇所以上に形成するようにしてもよい。【００１５】  次に、上記実施例の作用について説明する。
不使用時においては、図４に示す如く、前壁５と左側壁２とが、また後壁３と右側壁４とが夫々同一面となるようにして扁平に折り畳んでおく。そして、これを使用するときには、先ず図５に示す如く、蓋フラップ２０、１７が夫々前壁５、左側壁２の外面に、また蓋フラップ１９、１８が夫々右側壁４、後壁３の外面に接するように外側に折り返す。次に、図６に示す如く、各折目線７、２５の部分の上部を摘んで反対方向に押し開く。次に、図７に示す如く、完全に開いたら各底フラップ２１、２２、２３、２４を夫々内側に折り曲げて底部を完成させる。このようになした状態は図１及び図２に示す通りであり、物品の詰め込み作業を行なうときにおいて、四方の蓋フラップ１７、１８、１９、２０が全て外方に裏返って各前壁５、右側壁４、後壁３、左側壁２の外面に沿った状態となっているものである。したがって、開口部の位置を蓋フラップ１７、１８、１９、２０の高さ分だけ低く、また箱の内部が本来の収容部の深さとなるようになすことができるものである。もって、内部に物品を詰め込むときに、作業者は伸び上がって中を覗き込むようにすることなく、楽な姿勢でこれを行なうことができるものである。よって、労力と時間を大幅に軽減することができ、作業を段取りよくスムーズに行なうことができるから作業能率を大幅に向上させることができるものである。また、詰め込み作業をする間蓋フラップは全て外側に完全に裏返っているから、従来の如く腕や肘が蓋フラップの上縁に擦れることがなく、この点についても改善することができるものである。而も、連結片部２９，３０は一枚のダンボールを所定の展開形状に切断するときに同時に形成されるから、特別な装置や手間は不要である。
【図面の簡単な説明】
【００１６】
【図１】本考案の使用状態の斜視図である。
【図２】図１中Ａ部分の拡大図である。
【図３】本考案の展開図である。
【図４】本考案の不使用時の状態の正面図である。
【図５】本考案の組み立て工程の説明図であり、蓋フラップを外側に折り曲げる状態を示すものである。
【図６】本考案の組み立て工程の説明図であり、箱を開く途中の状態を示すものである。
【図７】本考案の組み立て工程の説明図であり、箱を開き終わった状態を示すものである。
【符号の説明】
【００１７】  １  ダンボール箱
２  前壁
３  右側壁
４  後壁
５  左側壁
６、７、８  折目線
９、１０、１１、１２、１３、１４、１５、１６  折目線
１７、１８、１９、２０  蓋フラップ
２１、２２、２３、２４  底フラップ
２５  折目線
２６  貼着片
２８  延長部
２９、３０  連結片部
【図１】
0003128114.tif 000003
【図２】
0003128114.tif 000004
【図３】
0003128114.tif 000005
【図４】
0003128114.tif 000006
【図５】
0003128114.tif 000007
【図６】
0003128114.tif 000008
【図７】
0003128114.tif 000009